(57)【特許請求の範囲】
【請求項１】
種々の情報を記録・再生する装置内でディスクを回転させるターンテーブルと、このターンテーブルとともに前記ディスクを上方から挟持するクランパとを備えたディスククランプ装置において、
前記クランパを一端に回転可能に支持し、他端の両側面に回動可能に軸支される回動穴を設けて前記クランパを前記ターンテーブル上で前記回動穴を支点とする回転動作により昇降させる回転アームと、
前記回転アームの前記回動穴を軸支する一対の軸を備えるとともに、前記回動穴を前記軸に挿入する挿入位置に前記回動穴を位置規制してスライドさせて前記軸に前記回動穴を容易に挿入させる挿入補助部を備えたシャシとを設け、
前記回転アームは前記回動穴を形成した両側面の下端を円形状に形成するとともに、前記挿入補助部は前記回転アームの円形状下端を平行に延在するリブの上端またはＶ字状の斜面いずれかの形状により支持することで前記位置規制するように設けたことを特徴とするディスククランプ装置。
【請求項２】
請求項１に記載のディスククランプ装置において、
前記挿入補助部は、前記回転アームの円形状下端を平行に延在するリブの上端に載置して支持するとともに、この上端を半円形状の曲面に形成していることを特徴とするディスククランプ装置。
【請求項３】
請求項１に記載のディスククランプ装置において、
前記シャシには、前記回転アームを軸支する前記軸を前記挿入補助部内に少し突出させて配置することで、前記軸に挿入する前記回動穴の挿入作業をより効果的に行えるように形成したことを特徴とするディスククランプ装置。
【請求項４】
請求項１に記載のディスククランプ装置において、
前記ディスクは、ＤＶＤ、ＣＤなどの光ディスクであることを特徴とするディスククランプ装置。
【発明の詳細な説明】
【０００１】
【発明の属する技術分野】
本発明は、ディスククランプ装置に係り、より詳細には、種々の情報を記録・再生する装置内でディスクを回転させるターンテーブルを設け、このターンテーブルとともにディスクを上方から挟持するクランパを備えたディスククランプ装置に関する。
【０００２】
【従来の技術】
従来、例えば、ＣＤ、ＤＶＤなどのディスクを記録・再生する場合、ディスクを収納する記録・再生装置の本体内にターンテーブル及びクランパをシャシ上に設置したディスククランプ装置を設け、このディスククランプ装置により本体内に搬送されたディスクを確実に挟持して記録・再生を行っていた。この従来のディスククランプ装置は、本体内のシャシにクランパを装着した回転アームを回動可能に軸支し、この回転アームを回転させることでクランパがターンテーブル上で昇降してディスクを挟持する構造を備えている。図８は、このようなＣＤの記録・再生装置に採用した従来のディスククランプ装置を示す構成図である。また、図９は、図８に示した軸５２の詳細を示す図である。また、図１０は、図８に示したディスククランプ装置によりディスク１を挟持する動作を示す動作説明図であり、図１０（ａ）はディスク１を挟持する前の状態を、図１０（ｂ）はディスク１を挟持した状態を各々示している。
【０００３】
図８に示すように、ＣＤの記録・再生装置に採用した従来のディスククランプ装置は、ＣＤなどのディスク１を記録・再生する装置の本体１０内に収納されており、この本体１０内に弾性を備える弾性体（図示せず）によりフローティング（浮動）状態に支持されて上部にディスク１を載置して回転させるターンテーブル５６を備えたシャシ５０と、このシャシ５０に一端を回転可能に軸支されて他端にクランパ３６を装着してターンテーブル５６上で昇降させてディスク１を挟持する回転アーム３０とを備えている。
【０００４】
ここで、シャシ５０は、本体１０内に弾性部材（図示せず）を介してフローティング状態に支持され、この表面にターンテーブル５６を配置することで所定の衝撃を吸収できるように形成されている。また、シャシ５０には、ターンテーブル５６の近傍にディスク１を記録・再生する光ピックアップなどの光学部品（図示せず）を複数載置している。このシャシ５０には、回転アーム３０を回転可能に軸支する一対の軸５２と、この軸５２の片側に延在して加圧バネ１８の一端側を係合する係合部５８とを備えている。
【０００５】
また、回転アーム３０は、一端にクランパ３６を回転可能に支持し、他端の両側面にシャシ５０の軸５２に挿入して回動可能に軸支する回動穴３２を設けている。この回転アーム３０の回動穴３２は、シャシ５０に設置された左右の軸５２に同時挿入することで回転係合する。また、回転アーム３０は、シャシ５０の軸５２を支点として回転し、クランパ３６をターンテーブル５６の上部で昇降させる構造を備えている。そして、回転アーム３０は、シャシ５０に係合した加圧バネ１８の他端側を係合する係合部３８を設け、この係合部３８に加圧バネ１８を装着してターンテーブル５６の方向に付勢している。従って、クランパ３６は、回転アーム３０を加圧バネ１８によりターンテーブル５６の方向に付勢することで、ターンテーブル５６に載置したディスク１の上部を所定の力で加圧し、ターンテーブル５６上に良好に挟持して加圧固定する。また、クランパ３６は、回転アーム３０に支持された状態で、ディスク１の上部に加圧バネ１８の力を正確に伝達するように設計されている。
また、シャシ５０の軸５２は、図９に示すように、先端部を細く形成した挿入案内部Ｆを設けている。これにより回転アーム３０の回動穴３２は、軸５２に挿入する際に挿入案内部Ｆにより穴位置が容易に定まり、回転アーム３０を簡単にシャシ５０に装着することが可能になる。
【０００６】
このような構成からなるＣＤの記録・再生装置に採用した従来のディスククランプ装置によりディスク１を挟持する場合、図８に示したように、ディスク１を把持して本体１０内に挿入することで、この本体１０内の図示されていない搬送手段がディスク１をターンテーブル５６の所定位置に搬送する。この際、回転アーム３０は、図１０（ａ）に示すように、シャシ５０の軸５２を支点にしてクランパ３６側を回転させ、このクランパ３６がターンテーブル５６と所定の間隔で離れるように傾斜させた状態で固定している。従って、ディスク１は、搬送手段によりクランパ３６とターンテーブル５６との間に搬送され、ターンテーブル５６の上部に載置される。その後、回転アーム３０は、図示されていない回転伝達手段により回転し、図１０（ｂ）に示すように、ディスク１の表面にクランパ３６を降下させる。この際、回転アーム３０は、加圧バネ１８の付勢力によってクランパ３６を介してディスク１に所定の力で加圧しており、ディスク１をターンテーブル５６上に加圧固定する。これによりディスク１は、ターンテーブル５６により回転してシャシ５０に設けた光ピックアップなどの光学部品（図示せず）を駆動させることで、所定の情報が記録・再生される。
【０００７】
このように、従来のディスククランプ装置は、ターンテーブル５６を備えるシャシ５０にクランパ３６を装着した回転アーム３０を回動可能に軸支し、ターンテーブル５６上にディスク１を搬送してクランパ３６を上部から降下させることで、このクランパ３６とターンテーブル５６との間にディスク１を確実に挟持して所定の情報を記録・再生するように形成していた。
【０００８】
【発明が解決しようとする課題】
しかしながら、従来のディスククランプ装置では、図８に示したように、回転アーム３０の両側面に設けた回動穴３２をシャシ５０に設けた一対の軸５２に挿入する場合、回動穴３２を同じタイミングで一対の軸５２に同時挿入する必要があり、組み立て工程での挿入作業が困難になるという不具合があった。
また、従来のディスククランプ装置では、回転アーム３０の回動穴３２を一対の軸５２に別々に挿入させて組み立て工程での挿入作業を容易にした場合、シャシ５０に設ける左右一対の軸５２の長さを各々変える必要があり、設計上の制約が発生したり、シャシ５０に軸５２を別に圧入する場合には２種類の軸を準備して挿入する必要があり製造コストが高くなるという不具合があった。
さらに、従来のディスククランプ装置では、図９に示すように、回転アームの回動穴を容易に挿入できるようにシャシ５０の軸５２に挿入案内部Ｆを形成しているため、この挿入案内部Ｆにより軸５２の長さが長くなり、折れてしまったり精度が出しにくいという不具合があった。
本発明はこのような課題を解決し、シャシに設けた軸の長さを最小に抑えて精度を向上させ、回転アームの回動穴を容易に挿入できるディスククランプ装置を提供することを目的とする。
【０００９】
【課題を解決するための手段】
本発明は上述の課題を解決するために、種々の情報を記録・再生する装置内でディスクを回転させるターンテーブルを備えてこのターンテーブルとともにディスクを上方から挟持するクランパとを備えたディスククランプ装置であって、クランパを一端に回転可能に支持して他端の両側面に回動可能に軸支される回動穴を設けてクランパをターンテーブル上で回動穴を支点とする回転動作により昇降させる回転アームと、この回転アームの回動穴を軸支する一対の軸を備えるとともに回動穴を軸に挿入する挿入位置に回動穴を位置規制してスライドさせて軸に回動穴を容易に挿入させる挿入補助部を備えたシャシとを設け、回転アームは回動穴を形成した両側面の下端を円形状に形成するとともに、挿入補助部は回転アームの円形状下端を平行に延在するリブの上端またはＶ字状の斜面いずれかの形状により支持することで位置規制するように設ける。
【００１０】
ここで、挿入補助部は、回転アームの円形状下端を平行に延在するリブの上端に載置して支持するとともに、この上端を半円形状の曲面に形成することが好ましい。また、シャシには、回転アームを軸支する軸を挿入補助部内に少し突出させて配置することで、軸に挿入する回動穴の挿入作業をより効果的に行えるように形成することが好ましい。また、ディスクは、ＤＶＤ、ＣＤなどの光ディスクであることが好ましい。
【００１１】
【発明の実施の形態】
次に、添付図面を参照して本発明によるディスククランプ装置の実施の形態を詳細に説明する。図１は、本発明によるディスククランプ装置の実施の形態を示す構成図である。また、図２は、図１に示したＡ−Ａ線の断面を示す断面図である。また、図３は、図１に示したＢ−Ｂ線の断面を示す断面図である。また、図４は、図３に示した軸２２の先端を挿入補助部３４内に少し突出させた状態を示す断面図である。ここで、図１に示したディスククランプ装置は、シャシ以外、全て図８に示した従来のディスククランプ装置と同様の構成要素であり、同じ構成要素には同一の符号を記載する。
【００１２】
図１に示すように、本発明によるディスククランプ装置の実施の形態は、図８に示した従来技術と同様にＣＤの記録・再生装置に採用したものであり、ディスク１（ＣＤ）を記録・再生する記録・再生装置の本体１０内に収納されているとともに、この本体１０内に弾性を備える弾性体（図示せず）によりフローティング（浮動）状態に支持されて上部にディスク１を載置して回転させるターンテーブル２６を備えたシャシ２０と、このシャシ２０に一端を回転可能に軸支されて他端にクランパ３６を装着してターンテーブル２６上で昇降させてディスク１を挟持する回転アーム３０とを備えている。
【００１３】
ここで、シャシ２０は、本体１０内に弾性部材（図示せず）を介してフローティング状態に支持され、この表面にターンテーブル２６を配置することで所定の衝撃を吸収できるように形成されている。また、シャシ２０には、ターンテーブル２６の近傍にディスク１を記録・再生する光ピックアップなどの光学部品（図示せず）を複数載置している。このシャシ２０には、回転アーム３０の両側を回転可能に軸支する一対の軸２２と、この軸２２の片側に近接して加圧バネ１８の一端側を係合する係合部２８とを備えている。また、シャシ２０は、図８に示した従来技術とは異なり、軸２２が延在する遊端側にＶ字状の傾斜面を設けた挿入補助部２４を設けている。
【００１４】
また、回転アーム３０は、図８に示した従来技術と同様に、一端にクランパ３６を回転可能に支持し、他端の両側面にシャシ２０の軸２２に挿入して回動可能に軸支する回動穴３２を設けている。この回転アーム３０の回動穴３２は、シャシ２０側に設置された左右の軸２２に同時挿入することで回転係合する。また、回転アーム３０は、シャシ２０の軸２２を支点として回転し、クランパ３６をターンテーブル２６の上部で昇降させる構造を備えている。そして、回転アーム３０は、シャシ２９に係合した加圧バネ１８を係合する係合部３８を設け、この係合部３８に加圧バネ１８を装着してターンテーブル２６の方向に付勢している。従って、クランパ３６は、回転アーム３０を加圧バネ１８によりターンテーブル２６の方向に付勢することで、ターンテーブル２６に載置したディスク１の上部を所定の力で加圧し、ターンテーブル２６上に良好に挟持して加圧固定する。また、クランパ３６は、回転アーム３０に支持された状態で、ディスク１の上部に加圧バネ１８の力を正確に伝達するように設計されている。
【００１５】
このように形成された回転アーム３０をシャシ２０に装着する場合、まず、回転アーム３０の側面に形成した回動穴３２を図１に示したようにシャシ２０の挿入補助部２４に合わせて載置（仮置き）する。この回転アーム３０は、回動穴３２を形成した側面の下端を半円状に形成しており、この半円形状の下端が図２に示すように挿入補助部２４のＶ字状の傾斜面に当接して支持される。この際、回転アーム３０の回動穴３２は、図３に示すように、挿入補助部２４によりシャシ２０（図１参照）の軸２２が延在する中心位置に位置規制されており図３に示した矢印Ｃ方向に摺動させることで、軸２２に容易に挿入することが可能となる。ここで、シャシ２０の軸２２は、図４に示すように、シャシ２０の挿入補助部２４内に先端を幅Ｄだけ突出させることが好ましい。これにより回転アーム３０は、挿入補助部２４で回動穴３２を位置規制して軸２２方向にスライドさせることで、回動穴３２が図４に示した幅Ｄの位置で軸２２に挿入するため、挿入作業をより効果的に行うことができる。そして、このような本発明によるディスククランプ装置の実施の形態を用いてディスク１を挟持する場合、図１０に示した従来のディスククランプ装置と同様の動作によりディスク１を挟持するため、従来技術と重複する動作説明は省略する。
【００１６】
このように、本発明によるディスククランプ装置の実施の形態によると、シャシ２０の挿入補助部２４により回転アーム３０の回動穴３２を予め軸２２の中心位置に位置規制して挿入するため、組み立て工程で回転アーム３０の回動穴３２をシャシ２０の軸２２に挿入する挿入作業が容易になる。
また、本発明によるディスククランプ装置の実施の形態によると、前述したように回転アーム３０の回動穴３２を挿入補助部２４により位置規制して軸２２に挿入するため、シャシ２０に設けた左右一対の軸２２を同一形状のものを使用でき、設計も容易になりコストも抑えることが可能となる。
さらに、本発明によるディスククランプ装置の実施の形態によると、回転アーム３０の回動穴３２を挿入補助部２４により位置規制して軸２２に挿入するため、シャシ２０の軸２２に図９に示した従来技術の挿入案内部Ｆを形成する必要がなく、軸２２の長さを必要最小限に抑えることが可能となり、折れなどの破損を防止することができる。
【００１７】
次に、本実施の形態においては、シャシ２０に設置された軸２２に対して、回転アーム３０の回転穴３２を同一回転軸線上に位置を規制することを目的としているため、前述した挿入補助部２４の形状のように略Ｖ形状でなくても、リブを延在させて端部に支持するエッジガイドでも可能である。図５は、このようにリブによるエッジガイドで支持する図１に示した挿入補助部の他の実施の形態を示す図である。また、図６は、図５に示したＥ−Ｅ線の断面を示す断面図である。また、図７は、図６に示したリブ４４ａの先端を半円状の曲面に形成した状態を示す図である。
【００１８】
図５に示すように、挿入補助部の他の実施の形態は、回転アーム３０の回転穴３２に挿入して軸支する軸４２を備えるシャシ４０を備え、このシャシ４０に形成した軸４２の遊端側に形成されて２本平行して垂直方向に延在するリブ４４ａと、この平行するリブ４４ａの片側を連結するように延在する連結リブ４４ｂとを一体に形成している。この挿入補助部４４は、回転アーム３０の回動穴３２を形成した半円状の側面下端を、図６に示すように２本平行して延在するリブ４４ａの先端に載置（仮置き）して支持し、回転アーム３０の回転穴３２を軸４２の中心位置に位置規制する。ここで、リブ４４ａの先端は、図７に示すように半円形状の曲面４５ａに形成することが好ましい。この曲面４５ａは、先端を半円形状に形成することで、樹脂成形におけるバリを抑え、位置規制の際に誤差が生じることを防止できる。
【００１９】
このように、挿入補助部の他の実施の形態によると、２本平行して延在するリブ４４ａからなる挿入補助部２４により回転アーム３０の回動穴３２を予め軸２２の中心位置に位置規制して挿入するため、図１に示した挿入補助部と同様の効果を得ることができる。
また、挿入補助部の他の実施の形態によると、挿入補助部２４の構造が２本平行して延在する簡単なリブ構造であるため、図１に示したＶ字状の挿入補助部に比べて回動穴３２の中心位置を位置調整することが容易になる。
【００２０】
以上、本発明によるディスククランプ装置の実施の形態を詳細に説明したが、本発明は前述した実施の形態に限定されるものではなく、その要旨を逸脱しない範囲で変更可能である。
例えば、本発明によるディスククランプ装置をＣＤの記録・再生装置に採用した実施の形態を説明したが、これに限定されるものではなく、ＤＶＤによる光ディスクの記録・再生装置にも適用可能である。
【００２１】
【発明の効果】
このように、本発明によるディスククランプ装置の実施の形態によれば、シャシの挿入補助部により回転アームの回動穴を予め軸の中心位置に位置規制して挿入するため、組み立て工程で回転アームの回動穴をシャシの軸に挿入する挿入作業が容易になる。
また、本発明によるディスククランプ装置の実施の形態によれば、回転アームの回動穴を挿入補助部により位置規制して軸に挿入するため、シャシに設けた左右一対の軸を同一形状のものを使用でき、設計も容易になりコストも抑えることが可能となる。
さらに、本発明によるディスククランプ装置の実施の形態によれば、回転アームの回動穴を挿入補助部により位置規制して軸に挿入するため、シャシの軸に挿入案内部を形成する必要がなく、軸の長さを必要最小限に抑えることが可能となり、折れなどの破損を防止することができる。
【図面の簡単な説明】
【図１】本発明によるディスククランプ装置の実施の形態を示す構成図。
【図２】図１に示したＡ−Ａ線の断面を示す断面図。
【図３】図１に示したＢ−Ｂ線の断面を示す断面図。
【図４】図３に示した軸の先端を挿入補助部内に少し突出させた状態を示す断面図。
【図５】図１に示した挿入補助部の他の実施の形態を示す図。
【図６】図５に示したＥ−Ｅ線の断面を示す断面図。
【図７】図６に示したリブの先端を半円状の曲面に形成した状態を示す図。
【図８】従来のディスククランプ装置を示す構成図。
【図９】図８に示した軸の詳細を示す図。
【図１０】図８に示したディスククランプ装置によりディスを挟持する動作を示す動作説明図。
【符号の説明】
１    ディスク
１０    本体
１８    加圧バネ
２０    シャシ
２２    軸
２４    挿入補助部
２６    ターンテーブル
２８    係合部
３０    回転アーム
３２    回動穴
３６    クランパ
３８    係合部
【図１】
0003674001.tif 000002
【図２】
0003674001.tif 000003
【図３】
0003674001.tif 000004
【図４】
0003674001.tif 000005
【図５】
0003674001.tif 000006
【図６】
0003674001.tif 000007
【図７】
0003674001.tif 000008
【図８】
0003674001.tif 000009
【図９】
0003674001.tif 000010
【図１０】
0003674001.tif 000011